【手続補正書】
【提出日】平成25年3月1日(2013.3.1)
【手続補正１】
【補正対象書類名】明細書
【補正対象項目名】発明の名称
【補正方法】変更
【補正の内容】
【発明の名称】画像形成装置、その制御方法、情報処理装置、印刷システム及びコンピュータプログラム  
【手続補正２】
【補正対象書類名】明細書
【補正対象項目名】０００１
【補正方法】変更
【補正の内容】
【０００１】
本発明は、画像データに応じた印刷を行う際、当該画像データに係る画像処理を行う画像形成装置、その制御方法、情報処理装置、印刷システム及びコンピュータプログラムに関し、特に、情報処理装置を外部装置として利用して画像処理を行う画像形成装置、その制御方法、印刷システム及びコンピュータプログラムに関する。
【手続補正３】
【補正対象書類名】明細書
【補正対象項目名】００１４
【補正方法】変更
【補正の内容】
【００１４】
従って、本発明の目的は、ＵＩ画面によって画像処理機能を設定する際、ユーザにとって使い勝手のよい画像形成装置、その制御方法、情報処理装置、印刷システム及びコンピュータプログラムを提供することにある。
【手続補正４】
【補正対象書類名】明細書
【補正対象項目名】００１５
【補正方法】変更
【補正の内容】
【００１５】
上記の目的を達成するため、本発明による画像形成装置は、複数の印刷処理機能を有し、ネットワークを介して複数の画像処理機能を有する情報処理装置に接続可能な画像形成装置であって、前記複数の印刷処理機能から少なくとも１つが選択された際、当該選択された印刷処理機能に係る設定パラメータを内部設定パラメータとして設定する第１の設定手段と、前記複数の画像処理機能から少なくとも１つが選択された際、当該選択された画像処理機能に係る設定パラメータを外部設定パラメータとして設定する第２の設定手段と、前記内部設定パラメータ及び前記外部設定パラメータを情報処理装置に送信する第１の送信手段と、前記内部設定パラメータ及び前記外部設定パラメータと予め規定された競合判定条件とに応じて情報処理装置で判定された判定結果として、選択された印刷処理機能と選択された画像処理機能とを組み合わせて用いることができないことを示す禁則通知を受けると、選択された印刷処理機能と選択された画像処理機能とを用いた印刷処理を停止する停止手段と、を有することを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
複数の印刷処理機能を有し、ネットワークを介して複数の画像処理機能を有する情報処理装置に接続可能な画像形成装置であって、
前記複数の印刷処理機能から少なくとも１つが選択された際、当該選択された印刷処理機能に係る設定パラメータを内部設定パラメータとして設定する第１の設定手段と、
前記複数の画像処理機能から少なくとも１つが選択された際、当該選択された画像処理機能に係る設定パラメータを外部設定パラメータとして設定する第２の設定手段と、
前記内部設定パラメータ及び前記外部設定パラメータを情報処理装置に送信する第１の送信手段と、
前記内部設定パラメータ及び前記外部設定パラメータと予め規定された競合判定条件とに応じて情報処理装置で判定された判定結果として、選択された印刷処理機能と選択された画像処理機能とを組み合わせて用いることができないことを示す禁則通知を受けると、選択された印刷処理機能と選択された画像処理機能とを用いた印刷処理を停止する停止手段と、
を有することを特徴とする画像形成装置。
【請求項２】
前記停止手段は、前記禁則通知を受けると、選択された印刷処理機能及び選択された画像処理機能を組み合わせて用いることができない旨を表示装置に表示することを特徴とする請求項１記載の画像形成装置。
【請求項３】
前記停止手段は、禁則通知の際に情報処理装置から送信される、選択された印刷処理機能と選択された画像処理機能との組み合わせによって生成される画像イメージに応じた出力結果を表示装置に表示することを特徴とする請求項１記載の画像処理装置。
【請求項４】
判定結果が、選択された印刷処理機能と選択された画像処理機能とを組み合わせて用いることができる非禁則通知であると、前記画像データを前記情報処理装置に送る第２の送信手段をさらに有することを特徴とする請求項１記載の画像形成装置。
【請求項５】
前記第１の設定手段は、印刷処理機能に関する設定を行うための第１の設定画面を表示し、
前記第２の設定手段は、前記画像処理機能に関する設定を行うための第２の設定画面を表示することを特徴とする請求項１記載の画像形成装置。
【請求項６】
ネットワークはインターネットであり、前記第２の設定手段は、情報処理装置からＷｅｂページを受けて、該Ｗｅｂページを第２の設定画面として表示することを特徴とする請求項５記載の画像形成装置。
【請求項７】
印刷処理機能及び画像処理機能を用いて印刷を行う際の印刷設定を行う第１の印刷設定モードと、画像処理機能のみを用いて印刷を行う際の印刷設定を行う第２の印刷設定モードとのいずれが選択されたかを示すモード選択通知を情報処理装置に送信する第３の送信手段をさらに有することを特徴とする請求項１記載の画像形成装置。
【請求項８】
複数の画像処理機能を備える情報処理装置であって、
複数の印刷処理機能を選択的に用いて画像形成を行う画像形成装置と接続する接続手段と、
前記画像形成装置から印刷処理機能に係る内部設定パラメータ及び画像処理機能に係る外部設定パラメータを受信する受信手段と、
前記内部設定パラメータ及び前記外部設定パラメータと予め規定された競合判定条件とに応じて、印刷処理機能及び画像処理機能を組み合わせて用いることができるか否かを判定する判定手段と、
前記判定手段による判定結果を画像形成装置に送信する送信手段と、
を有することを特徴とする情報処理装置。
【請求項９】
印刷処理機能及び画像処理機能を用いて印刷を行う際の印刷設定を行う第１の印刷設定モードを選択した旨の通知を画像形成装置から受けると、前記受信手段が前記内部設定パラメータ及び前記外部設定パラメータを受信し、画像処理機能のみを用いて印刷を行う際の印刷設定を行う第２の印刷設定モードを選択した旨の通知を前記画像形成装置から受けると、画像形成装置が備える前記印刷処理機能を参照して、前記外部設定パラメータを設定するための設定画面を前記画像形成装置に表示する設定表示手段を有することを特徴とする請求項８記載の情報処理装置。
【請求項１０】
請求項１から７のいずれか１項に記載の画像形成装置と、請求項８又は９に記載の情報処理装置と、を有することを特徴とする印刷システム。
【請求項１１】
複数の印刷処理機能を有し、ネットワークを介して複数の画像処理機能を有する情報処理装置に接続可能な画像形成装置の制御方法であって、
前記複数の印刷処理機能から少なくとも１つが選択された際、当該選択された印刷処理機能に係る設定パラメータを内部設定パラメータとして設定する第１の設定ステップと、
前記複数の画像処理機能から少なくとも１つが選択された際、当該選択された画像処理機能に係る設定パラメータを外部設定パラメータとして設定する第２の設定ステップと、
前記内部設定パラメータ及び前記外部設定パラメータを情報処理装置に送信する送信ステップと、
前記内部設定パラメータ及び前記外部設定パラメータと予め規定された競合判定条件とに応じて情報処理装置で判定された判定結果として、選択された印刷処理機能と選択された画像処理機能とを組み合わせて用いることができない禁則通知を受けると、選択された印刷処理機能と選択された画像処理機能を用いた印刷処理を停止する停止ステップと、
を有することを特徴とする制御方法。
【請求項１２】
複数の画像処理機能を有し、前記画像処理機能を用いて画像形成を行う画像形成装置であって、複数の画像処理機能を有する情報処理装置に接続可能な画像形成装置であって、
前記画像形成装置が有する複数の画像処理機能のうちの少なくとも１つを選択する第１の選択手段と、
前記情報処理装置が有する複数の画像処理機能のうちの少なくとも一つを選択する第２の選択手段と、
前記第１の選択手段により選択された画像処理機能と前記第２の選択手段により選択された画像処理機能とを示す情報を前記情報処理装置に送信する送信手段と、
前記送信手段によって送信された情報及び予め規定された競合判定条件に従って前記情報処理装置で判定された判定結果を、当該情報処理装置から受信する受信手段と、 
前記受信手段によって受信された判定結果に従って表示を行う表示手段と、
を有することを特徴とする画像形成装置。
【請求項１３】
複数の画像処理機能を有し、前記画像処理機能を用いて画像形成を行う画像形成装置であって、複数の画像処理機能を有する情報処理装置に接続可能な画像形成装置の制御方法であって、
前記画像形成装置が有する複数の画像処理機能のうちの少なくとも１つを選択する第１の選択ステップと、
前記情報処理装置が有する複数の画像処理機能のうちの少なくとも一つを選択する第２の選択ステップと、
前記第１の選択ステップにおいて選択された画像処理機能と前記第２の選択ステップにおいて選択された画像処理機能とを示す情報を前記情報処理装置に送信する送信ステップと、
前記送信ステップにおいて送信された情報及び予め規定された競合判定条件に従って前記情報処理装置で判定された判定結果を、当該情報処理装置から受信する受信ステップと、 
前記受信ステップにおいて受信された判定結果に従って表示を行う表示ステップと、
を有することを特徴とする制御方法。
【請求項１４】
請求項１１又は１３記載の制御方法をコンピュータに実行させるためのコンピュータプログラム。